(57)【要約】【目的】  屈曲が少ないと指先に滑りにくい感触を与える為に設けられている板状突起や突状片部の凸部頂上のエッジ部分が指先に当たらず、頂上の平らな部分で指先に接触することになり、見た目ほど指先に引っかかる感触がないものであった。また、複数の外径方向に突出する板状突起や突状片部を設けて凹凸を付けた把持部は、把持部の指先に当接する面積が減少するため、摩擦抵抗も減少してしまい、滑りにくい把持部とはなっていない問題もあった。【構成】  軸体の把持部に少なくとも弾性樹脂を配置及び／または一体に設けた軸体において、前記把持部の外表面に外周方向に突出する突部を複数設け、この突部の軸方向に対する縦断面及び／または横断面の幅を変化させた軸体。【選択図】        図１
2006305787.tif 000002
【特許請求の範囲】
【請求項１】
軸体の把持部に少なくとも弾性樹脂を配置及び／または一体に設けた軸体において、前記把持部の外表面に外周方向に突出する突部を複数設け、この突部の軸方向に対する縦断面及び／または横断面の幅を変化させたことを特徴とする軸体。
【請求項２】
軸体の把持部に少なくとも弾性樹脂を配置及び／または一体に設けた軸体において、前記把持部の外表面に外周方向に突出する突部を複数設け、この突部の軸方向に対する縦断面及び／または横断面の幅を外周方向に漸次小さくしたことを特徴とする軸体。
【発明の詳細な説明】
【技術分野】
【０００１】
本発明は、軸体の少なくとも把持する部分に弾性樹脂を設けた軸体に関するものであり、その軸体の１例としては、ボールペンやシャープペンシルなどの筆記具や、口紅やアイライナーなど細長い容器、釣り竿、ドアノブ、ドライバーなどの工具類が挙げられる。
【背景技術】
【０００２】
把持する部分には、滑り止めや把持のしやすさといった効果を持たせるために様々な発明がなされている。滑り止めとしては、シリコーンやエラストマーといった弾性樹脂を把持部に配置した構成（グリップ）が採られており、弾性樹脂の形状や硬さを変化させることによって持ちやすい把持部を形成している。特に形状においては、グリップ本体の外周面に径方向に突出する複数の板状突起を前方側に向かって漸次高くなるように複数形成したもの（特許文献１）や、グリップ本体の外表面に、把持力により屈曲可能な複数の外径方向に突出する突状片部からなる群を、グリップ本体の周方向に離間して複数設けたもの（特許文献２）があげられる。このように外周部に径方向に突起を形成することにより、比較的硬度の高い材質でグリップを構成しても、柔らかい感触が得られ、また、把持した指がグリップの表面に局部的に深く沈み込んで指先を滑りにくくしている
【特許文献１】特許３１２１３１３号公報
【特許文献２】特開２０００−０７１６７４号公報
【発明の開示】
【発明が解決しようとする課題】
【０００３】
しかし、把持力により屈曲可能な複数の外径方向に突出する板状突起や突状片部は実際には大きく屈曲することが出来ず、柔らかい感触はあまり得られないという問題があった。さらに、屈曲が少ないと指先に滑りにくい感触を与える為に設けられている板状突起や突状片部の凸部頂上のエッジ部分が指先に当たらず、頂上の平らな部分で指先に接触することになり、見た目ほど指先に引っかかる感触がないものであった。また、複数の外径方向に突出する板状突起や突状片部を設けて凹凸を付けた把持部は、把持部の指先に当接する面積が減少するため、摩擦抵抗も減少してしまい、滑りにくい把持部とはなっていない問題もあった。
【課題を解決するための手段】
【０００４】
そこで、本発明は、軸体の把持部に少なくとも弾性樹脂を配置及び／または一体に設けた軸体において、前記把持部の外表面に外周方向に突出する突部を複数設け、この突部の軸方向に対する縦断面及び／または横断面の幅を変化させたことを第１の要旨とし、前記突部の軸方向に対する縦断面及び／または横断面の幅を外周方向に漸次小さくしたことを第２の要旨とするものである。
【０００５】
軸体１の材質は、金属や樹脂、木材、石材など軸体として成形できるものであればよく、把持部２を形成する材料が軸体１を成形できる強度を有していれば、その材料で把持部を軸体自体に形成することも可能であり、特に限定されない。また、これらの材質は１種または２種以上の混合物であってもよい。
【０００６】
把持部２には、弾性樹脂が配されている。その弾性樹脂の具体例としては、アクリル樹脂やシリコーン樹脂、フッ素樹脂、塩化ビニル、ウレタン樹脂、ポリウレタン樹脂、ポリエチレン樹脂、エラストマーゲル、ポリエチレンゲル、ジメチル系シリコーン、メチルビニル系シリコーン、メチルフェニルビニル系シリコーン、メチルフルオロアルキル系シリコーン（フロロシリコーン）、フロロ−ジメチル共重合シリコーン、ウレタンゴム、エチレンアクリルゴム、エピクロルヒドリンゴム、アクリルゴム、エチレンプロピレンゴム、クロロプレンゴム、天然ゴム、イソプレンゴム、塩素化ポリエチレン、ニトリルゴム、スチレン系エラストマー、オレフィン系エラストマー、エステル系エラストマー、ウレタン系エラストマーなどが挙げられるが、形状が維持できるものであれば特に限定されない。これら弾性樹脂は１種または２種以上の混合物であってもよい。
【０００７】
把持部２を構成する弾性樹脂の硬度は、ショアーＡで０度から９０度もしくは、アスカーＣで０度から９０度までの硬度範囲の中で適宜選択すればよく、特に限定されるものではない。
【０００８】
把持部２の外表面には外周方向に突出する突部が複数設けられており、前記突部の軸方向に対する縦断面及び／または横断面の幅が変化しており、外周方向に漸次小さくなっていると特に好ましい。突部の軸方向に対する縦断面及び／または横断面の幅を変化させることによって、突部が屈曲しやすくなり、突部頂上のエッジ部分が指先に当たりやすくなり、滑りにくい感触が指先に伝わりやすくなる。また、屈曲しやすくなることで指先が接触する面積も増大するので摩擦抵抗も増大する。
【０００９】
把持部２の外表面には外周方向に突出する突部は環状に設けられていてもよいが、幾つかに分離（分割）することにより屈曲のしやすさが向上する。
【００１０】
これら弾性樹脂には、触り心地や指先へのフィット感の向上、着色や文様といった意匠性の向上、抗菌や汗の吸放出、光触媒反応による自己洗浄といった機能性の付与のために粉体や微粒子、発泡剤などが含まれていてもよい。
その粉体の具体例としては、スチレンやナイロン、ポリオレフィン、シリコーン、エポキシ、ポリメタクリル酸メチルなどの樹脂粉体や、シリカ、アルミナ、ジルコニア、ガラス片、金属片などの無機粉体、シルクパウダー、木粉、コルク粉などの天然素材を粉体化したものなどが挙げられる。また、それらの粉体に、アクリル系、ウレタン系、エポキシ系などの粉体塗膜を被覆した複合粉体、さらには、自動乳鉢、ボールミル、ジェットミル、アトマイザー、ハイブリダイザーなどを用いて樹脂粉体にこの樹脂粉体より小さい無機粉体を吸着させたり、打ち込んだりしたものなども挙げられ、特に限定されない。また、粉体の形状は、無定型、球状、板状、針状などが用いられ、特に限定するものではない。これら粉体は１種または２種以上添加してもよい。
【００１１】
また、前記微粒子の具体例としては、カーボンブラックやグラファイト、酸化チタン、酸化錫、酸化インジウムなどの酸化物、窒化チタン、窒化クロム、窒化ジルコニウム、窒化タンタルなどの窒化物、炭化チタン、炭化ジルコニウム、炭化タンタルなどの炭化物、ホウ化チタン、ホウ化ジルコニウム、ホウ化タンタルなどのホウ化物が挙げられ、特に限定されない。また、微粒子の形状は無定型、鱗片状、球状、繊維状などを用いることができる。これら微粒子は、１種または２種以上添加してもよい。
【００１２】
前記発泡剤は、化学発泡剤や物理発泡剤、熱膨張性マイクロカプセルなどが用いられる。化学発泡剤の具体例は、アゾ化合物やニトロソ化合物、ヒドラジン誘導体、セミカルバジド化合物、アジド化合物、トリアゾール化合物などの有機系熱分解型発泡剤、イソシアネート化合物などの有機系反応型発泡剤、重炭酸塩や炭酸塩、亜硫酸塩、水素化物などの無機系熱分解型発泡剤、重炭酸ナトリウム＋酸や過酸化水素＋イースト菌、亜鉛粉末＋酸などの無機系反応型発泡剤などが挙げられる。
物理発泡剤の具体例は、ブタンやペンタン、ヘキサン、ジクロルエタン、ジクロルメタン、フロン、空気、炭酸ガス、窒素ガスなどが挙げられる。
熱膨張性マイクロカプセルの具体例は、イソブタンやペンタン、石油エーテル、ヘキサンなどの低沸点炭化水素を芯物質とし、塩化ビニリデン、アクリロニトリル、アクリル酸エステル、メタクリル酸エステルなどの共重合体からなる熱可塑性樹脂を壁物質としたマイクロカプセルなどが挙げられ、特に限定されない。これら発泡剤は、１種または２種以上添加してもよい。
【００１３】
また、把持部２を構成する弾性樹脂の表面は滑らかな面や粗な面に成形できる。例えば、摩擦抵抗を高め、指先の引っかかりをよくするためには表面を鏡面の様に滑らかに、また、摩擦抵抗を低くしてさらさらした触感を得るためには表面を粗にすればよいが、表面を粗にした場合には、ゴミやほこりを付きにくくする効果も得られる。
【００１４】
把持部２の製造方法としては、各々を別部材で構成し挿着する方法や軸筒の表面に弾性樹脂を塗装する方法、或いは、２色成形やインサート成形によって一体成形する方法などが挙げられるが、その製造方法は特に限定されない。
【発明の効果】
【００１５】
本発明は、把持部の外表面に外周方向に突出する突部を複数設け、この突部の軸方向に対する縦断面及び／または横断面の幅を変化させることによって、突部が屈曲しやすい形状になり柔らかさを感じると共に、突部頂上部のエッジ部分が指先に当たりやすくなり、指先には滑りにくい効果を与えることが出来る。また、屈曲しやすくなることで指先が接触する面積も増大するので摩擦抵抗も増大する。
【発明を実施するための最良の形態】
【００１６】
本発明は、把持部の外表面に外周方向に突出する突部を複数設け、この突部の軸方向に対する縦断面及び／または横断面の幅を変化させたことを最も主要な特徴とする。そして、突部の縦断面及び／または横断面の幅の変化を創意工夫することよって、突部が屈曲しやすい形状になり柔らかさを感じると共に、摩擦抵抗も大きく滑りにくい効果を得る目的を実現した。
【００１７】
実施例１
図１は、本発明を筆記具の把持部に使用した実施例１の部品図である。参照符号１は軸筒、参照符号２は把持部である。
【００１８】
軸筒１はポリプロピレン、把持部２は弾性樹脂としてエラストマー（アクティマーＡＥ−２０４０Ｓ、リケンテクノス（株）製、ショアＡ硬度：４０°）を用いて２色成形で成形した。把持部２の外表面に外周方向に突出する突部３を複数設け、この突部３の軸方向に対する縦断面の幅を外周方向に漸次小さくすることで、突部３の屈曲しやすさが向上し柔らかい感触が得られている。即ち、突部３の縦断面形状は二等辺三角形をなしているが、正三角形などの形状であっても良い。また、突部３の頂点４が指先に当たりやすく、把持部２と指先の接触面積も増えているので滑りにくい効果が出ている。
【００１９】
実施例２
図２は、本発明を筆記具の把持部に使用した実施例２の部品図である。参照符号１は軸筒、参照符号２は把持部である。
【００２０】
軸筒１はポリプロピレン、把持部２は弾性樹脂としてジメチル系シリコーンゴム（ＴＳＥ２５７０−６Ｕ、ＧＥ東芝シリコーン（株）製、ショアＡ硬度：３０°）を用いて成形した後、軸筒１に装着した。把持部２の外表面に外周方向に突出する突部５を複数設け、この突部５の軸方向に対する縦断面の幅をペン後端方向に漸次小さくすることで、突部５の屈曲しやすさが向上し柔らかい感触が得られている。即ち、突部５は、ペン前端方向に向かって末広がりの形状をなしている。また、突部５の頂点６が指先に当たりやすく、把持部２と指先の接触面積も増えているので滑りにくい効果が出ている。
【００２１】
実施例３
図３は、本発明を筆記具の把持部に使用した実施例３の部品図である。参照符号１は軸筒、参照符号２は把持部である。
【００２２】
軸筒１はアクリロニトリルスチレンブタジエン、把持部２は弾性樹脂としてオレフィン系エラストマー（サントプレーン１１１−３５、エーイーエス・ジャパン（株）製、ショアＡ硬度：３５°を用いて２色成形で成形した。把持部２の外表面に外周方向に突出する突部７を複数設け、この突部７の軸方向に対する縦断面の幅をペン先方向に漸次小さくすることで、突部７の屈曲しやすさが向上し柔らかい感触が得られている。即ち、突部６は、ペン後端方向に向かって末広がりの形状をなしている。また、突部７の頂点８が指先に当たりやすく、把持部２と指先の接触面積も増えているので滑りにくい効果が出ている。
【００２３】
実施例４
図４は、本発明を筆記具の把持部に使用した実施例３の部品図である。参照符号１は軸筒、参照符号２は把持部である。
【００２４】
軸筒１はアクリロニトリルスチレン、把持部２は弾性樹脂としてジメチル系シリコーンゴム（ＴＳＥ２５７０−６Ｕ、ＧＥ東芝シリコーン（株）製、ショアＡ硬度：３０°）を用いて成形した後、把持部２を軸筒１に装着した。把持部２の外表面に外周方向に突出する突部９を複数、分割して設け、この突部９の軸方向に対する縦断面の幅を外周方向に漸次小さくすることで、突部９の屈曲しやすさが向上し、分割することにより更に柔らかい感触が得られている。本例においては、前記実施例１と同様に突部９の軸方向に対する縦断面の幅が外周方向に漸次小さく形成されているが、その突部９の頂部１０は円弧状に形成されている。また、突部９の頂点１０が指先に当たりやすく、かつ、円弧状に形成されているため、把持部２と指先の接触面積も増えているので滑りにくい効果が出ている。
【００２５】
実施例５
図５は、本発明を筆記具の把持部に使用した実施例３の部品図である。参照符号１は軸筒、参照符号２は把持部である。
【００２６】
軸筒１はアクリロニトリルスチレン、把持部２は弾性樹脂として超軟質アクティマー（ＡＥ−２０００Ｓ、リケンテクノス（株）製、ショアＡ硬度：３°）を用いて２色成形で成形した。把持部２の外表面に外周方向に突出する突部１１を複数、分割（突部１１ａ、１１ｂ）して設け、この突部１１の軸方向に対する縦断面の幅をペン先方向に漸次小さくすることで、突部１１の屈曲しやすさが向上し、分割することにより更に柔らかい感触が得られている。この突部１１ａと突部１１ｂは周方向に１８分割され、突部１１ａと突部１１ｂの周方向の位置は１０°
回転した位置に形成されている。また、突部１１ａ、突部１１ｂの頂点１２（１２ａ、１２ｂ）が指先に当たりやすく、把持部２と指先の接触面積も増えているので滑りにくい効果が出ている。
【００２７】
実施例６
図６は、本発明を筆記具の把持部に使用した実施例６の部品図である。図７はａ−Ａ‘断面図である。また、参照符号１は軸筒、参照符号２は把持部である。
【００２８】
軸筒１はポリプロピレン、把持部２は弾性樹脂としてポリエチレンゲル（コスモゲルＨＣ１５Ｎ、（株）コスモ計器製、アスカーｃ硬度：１５°）を用いて２色成形で成形した。把持部２の外表面に外周方向に突出する突部１３を複数設け、この突部１３の軸方向に対する横断面の幅を外周方向に漸次小さくすることで突部１３の屈曲しやすさが向上し、柔らかい感触が得られている。即ち、突部１３の横断面形状は二等辺三角形をなしているが、正三角形などの形状であっても良い。また、突部１３の頂点１４が指先に当たりやすく、把持部２と指先の接触面積も増えているので滑りにくい効果が出ている。
【００２９】
実施例７
図８は、本発明を筆記具の把持部に使用した実施例７の部品図である。図９はａ−Ａ‘断面図である。また、参照符号１は軸筒、参照符号２は把持部である。
【００３０】
軸筒１はアクリロニトリルスチレン、把持部２は弾性樹脂としてジメチル系シリコーンゴム（ＴＳＥ２５７０−６Ｕ、ＧＥ東芝シリコーン（株）製、ショアＡ硬度：３０°）を用いて成形した後、把持部２を軸筒１に装着した。把持部２の外表面に外周方向に突出する突部１５を複数設け、この突部１５の軸方向に対する横断面の幅を外周方向に漸次小さくすることで突部１４の屈曲しやすさが向上し、柔らかい感触が得られている。本例においては、前記実施例６と同様に突部１５の軸方向に対する横断面の幅が外周方向に漸次小さく形成されているが、その突部１５の頂部１６は円弧状に形成されている。また、突部１４の頂点１５が指先に当たりやすく、かつ、円弧状に形成されているため、把持部２と指先の接触面積も増えているので滑りにくい効果が出ている。
【００３１】
比較例１
特許第３１２１３１３号公報に従い、外周面に径方向に突出する板状突起が軸方向に等間隔で平行に前方側に向かって漸次高くなるように複数形成した把持部を筆記具の軸筒に装着したものを比較例１とする。
【００３２】
軸筒はアクリロニトリルスチレン、把持部は弾性樹脂としてエラストマー（アクティマーＡＥ−２０４０Ｓ、リケンテクノス（株）製、ショアＡ硬度：４０°）を用いて２色成形で成形した。把持部の外表面に外周方向に突出する板状突起が複数設けられているが、この板状突起の軸方向に対する縦断面の幅は一定であり、板状突起が屈曲しにくく柔らかい感触が得られない。即ち、本例における板状突起は厚さが均一な板状部となっている。また、突部の頂点エッジ部も指先に当たりにくく、把持部と指先の接触面積も変化しないので滑りにくい効果が少ない。
【産業上の利用可能性】
【００３３】
本発明は、軸筒の少なくとも把持部する部分に弾性樹脂を設けた軸体に関するものである。その軸体の例としては、シャープペンシルやボールペン、修正ペンなどの筆記具、カッターや彫刻刀、ドライバーなどの工具類、ＰＤＡ（パーソナル  デジタル  アシスタンス）や電子手帳に使用される入力ペン、自転車のハンドルなど多岐にわたる。
【図面の簡単な説明】
【００３４】
【図１】本発明を筆記具の把持部に使用した実施例１の部品図である。
【図２】本発明を筆記具の把持部に使用した実施例２の部品図である。
【図３】本発明を筆記具の把持部に使用した実施例３の部品図である。
【図４】本発明を筆記具の把持部に使用した実施例４の部品図である。
【図５】本発明を筆記具の把持部に使用した実施例５の部品図である。
【図６】本発明を筆記具の把持部に使用した実施例６の部品図である。
【図７】図６のａ−Ａ‘断面図である。
【図８】本発明を筆記具の把持部に使用した実施例７の部品図である。
【図９】図８のａ−Ａ‘断面図である。
【符号の説明】
【００３５】
１    軸体
２    把持部
３    突部
４    頂部
５    突部
６    頂部
７    突部
８    頂部
９    突部
１０  頂部
１１  突部
１２  頂部
１３  突部
１４  頂部
１５  突部
１６  頂部
【図１】
2006305787.tif 000003
【図２】
2006305787.tif 000004
【図３】
2006305787.tif 000005
【図４】
2006305787.tif 000006
【図５】
2006305787.tif 000007
【図６】
2006305787.tif 000008
【図７】
2006305787.tif 000009
【図８】
2006305787.tif 000010
【図９】
2006305787.tif 000011